【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
照明機器および該照明機器の動作を指示する指示装置を含む対象機器に接続され、該対象機器を制御する照明制御装置であって、
他の照明制御装置との間で、前記照明機器の制御内容を示す照明制御情報の送受信および前記照明制御装置の異常の有無を示す第１の確認信号の送受信を行う第１の通信部と、
前記対象機器との間で、前記照明機器の動作の指示を含む機器制御情報の送受信を行う第２の通信部と、
前記第１の通信部で自装置に接続された前記照明機器に対する前記照明制御情報を受信した場合は、該照明機器に対する前記機器制御情報を生成し、前記第２の通信部で前記指示装置から前記機器制御情報を受信した場合は、前記自装置に接続された前記照明機器に対する前記機器制御情報および前記他の照明制御装置に接続された前記照明機器に対する前記照明制御情報の少なくともいずれかを生成する機器制御部と、
第１の前記他の照明制御装置から受信した前記第１の確認信号に応じて、前記第１の他の照明制御装置が異常であるか否かを判定する異常判定部と、
前記異常判定部で前記第１の他の照明制御装置が異常であると判定された場合に、自装置および第２の前記他の照明制御装置の中から新たな前記第１の他の照明制御装置を決定する主従判定部と、
を備える照明制御装置。
【請求項２】
照明機器および該照明機器の動作を指示する指示装置を含む対象機器と、
それぞれが、前記対象機器に接続され、該対象機器を制御し、互いにネットワークを介して接続された３つ以上の照明制御装置と、
を備え、
いずれかの前記照明制御装置は、他の前記照明制御装置に対し、前記他の照明制御装置に接続された前記照明機器の制御を指示する親の照明制御装置として動作し、前記親の照明制御装置を除く前記照明制御装置は、前記親の照明制御装置からの指示に応じて前記照明機器の制御を行う子の照明制御装置として動作し、
前記照明制御装置は、
前記他の照明制御装置との間で、前記照明機器の制御内容を示す照明制御情報の送受信および前記照明制御装置の異常の有無を示す第１の確認信号の送受信を行う第１の通信部と、
前記対象機器との間で、前記照明機器の動作の指示を含む機器制御情報の送受信を行う第２の通信部と、
前記第１の通信部で自装置に接続された前記照明機器に対する前記照明制御情報を受信した場合は、該照明機器に対する前記機器制御情報を生成し、前記第２の通信部で前記指示装置から前記機器制御情報を受信した場合は、前記自装置に接続された前記照明機器に対する前記機器制御情報および前記他の照明制御装置に接続された前記照明機器に対する前記照明制御情報の少なくともいずれかを生成する機器制御部と、
前記親の照明制御装置から受信した前記第１の確認信号に応じて、前記親の照明制御装置が異常であるか否かを判定する異常判定部と、
前記異常判定部で前記親の照明制御装置が異常であると判定された場合に、前記子の照明制御装置の中から新たな前記親の照明制御装置を決定する主従判定部と、
を有し、
前記機器制御部が前記他の照明制御装置に接続された前記照明機器に対する前記照明制御情報を生成した場合において、前記親の照明制御装置が有する前記第１の通信部は、該他の照明制御装置に該照明制御情報を送信し、前記子の照明制御装置が有する前記第１の通信部は、前記親の照明制御装置に該照明制御情報を送信し、
前記親の照明制御装置が有する前記第１の通信部は、前記子の照明制御装置から他の前記子の照明制御装置に接続された前記照明機器に対する前記照明制御情報を受信すると、前記他の子の照明制御装置に該照明制御情報を送信する、
照明制御システム。
【請求項３】
前記照明制御装置ごとに、固有の識別番号が割り当てられ、
前記主従判定部は、前記識別番号に応じて、前記子の照明制御装置の中から、新たな前記親の照明制御装置を決定する、
請求項２に記載の照明制御システム。
【請求項４】
前記親の照明制御装置が有する前記第１の通信部は、定められた間隔で前記第１の確認信号を前記子の照明制御装置に送信し、
前記子の照明制御装置が有する前記異常判定部は、前記第１の通信部が最後に前記第１の確認信号を受信してから定められた時間が経過した場合に、前記親の照明制御装置が異常であると判定する、
請求項２または３に記載の照明制御システム。
【請求項５】
前記第１の通信部は、前記対象機器の情報を示す対象機器情報の送受信を行い、
前記照明制御装置は、前記対象機器の前記対象機器情報および前記第１の通信部で受信した前記他の照明制御装置が制御する前記対象機器の前記対象機器情報が記憶される構成管理部をさらに備える、
請求項２から４のいずれか１項に記載の照明制御システム。
【請求項６】
前記第２の通信部は、前記対象機器と、前記対象機器の状態を示す第２の確認信号の送受信を行い、
前記照明制御装置は、前記第２の通信部が、前記対象機器から受信した前記第２の確認信号に応じて、前記対象機器の前記対象機器情報に変更があるか否かを判定する対象機器管理部をさらに備え、
前記構成管理部は、前記対象機器管理部の判定に応じて、前記対象機器の前記対象機器情報を更新する、
請求項５に記載の照明制御システム。
【請求項７】
前記第１の通信部は、前記対象機器の前記対象機器情報の送受信を行い、
前記構成管理部は、前記第１の通信部で受信した前記対象機器情報に応じて、前記対象機器の前記対象機器情報を更新し、
前記構成管理部が前記対象機器の前記対象機器情報を更新した場合であって、前記親の照明制御装置として動作する場合には、前記第１の通信部は、前記子の照明制御装置に、更新された前記対象機器の前記対象機器情報を送信し、前記子の照明制御装置として動作する場合には、前記第１の通信部は、前記親の照明制御装置に、更新された前記対象機器の前記対象機器情報を送信する、
請求項５または６に記載の照明制御システム。
【請求項８】
前記主従判定部が前記新たな親の照明制御装置を決定すると、
前記新たな親の照明制御装置が有する前記第１の通信部は、前記新たな親の照明制御装置以外の全ての照明制御装置から前記対象機器情報を受信し、
前記新たな親の照明制御装置が有する前記構成管理部は、前記第１の通信部が受信した前記対象機器情報に応じて、前記対象機器の前記対象機器情報を更新したのち、
前記第１の通信部は、前記新たな親の照明制御装置以外の全ての照明制御装置に、前記構成管理部が記憶する全ての照明制御装置についての前記対象機器情報を送信する、
請求項５から７のいずれか１項に記載の照明制御システム。
【請求項９】
前記照明制御装置のそれぞれに対して、少なくとも１つのグループが対応付けられ、
前記グループは、該グループに対応づけられた前記照明制御装置が制御する前記照明機器を含み、
前記機器制御部は、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに含まれる前記照明機器に対する前記機器制御情報、および前記他の照明制御装置に対する前記照明制御情報の少なくともいずれかを生成する、
請求項２から８のいずれか１項に記載の照明制御システム。
【請求項１０】
少なくとも１つの前記グループを含む、少なくとも１つのゾーンが定められ、
前記機器制御部は、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに対応付けられる前記照明機器、該グループと同じゾーンに含まれる他の前記グループに含まれる前記照明機器に対する前記機器制御情報、および該ゾーンに含まれる他の前記グループに対応付けられる前記他の照明制御装置に対する前記照明制御情報の少なくともいずれかを生成する、
請求項９に記載の照明制御システム。
【請求項１１】
ユーザからの入力を受け付け、該入力に応じて、前記照明制御装置と前記グループとの対応関係および前記グループに含まれる前記照明機器を決定し、接続された前記照明制御装置に、前記照明制御装置と前記グループとの対応関係および前記グループに含まれる前記照明機器を示す対応関係情報を送信する設定装置をさらに備え、
前記第１の通信部は、前記対応関係情報を受信し、
前記機器制御部は、前記対応関係情報に応じて、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに含まれる前記照明機器に対する前記機器制御情報、および前記他の照明制御装置に対する前記照明制御情報の少なくともいずれかを生成する、
請求項９に記載の照明制御システム。
【請求項１２】
ユーザからの入力を受け付け、該入力に応じて、前記照明制御装置と前記グループとの対応関係、前記グループに含まれる前記照明機器、および前記グループと前記ゾーンとの対応関係を決定し、接続された前記照明制御装置に、前記照明制御装置と前記グループとの対応関係、前記グループに含まれる前記照明機器、および前記グループと前記ゾーンとの対応関係を示す対応関係情報を送信する設定装置をさらに備え、
前記第１の通信部は、前記対応関係情報を受信し、
前記機器制御部は、前記対応関係情報に応じて、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに対応付けられる前記照明機器、該グループと同じゾーンに含まれる他の前記グループに含まれる前記照明機器に対する前記機器制御情報、および該ゾーンに含まれる他の前記グループに対応付けられる前記他の照明制御装置に対する前記照明制御情報の少なくともいずれかを生成する、
請求項１０に記載の照明制御システム。